(57)【要約】【課題】ターンテーブル上に情報記録媒体を固定し、情報記録媒体を回転させた場合であっても上下方向に情報記録媒体のフレが発生するのを抑制し、正確に情報を情報記録媒体から読みだしたり、情報記録媒体に書き込んだりすることができる情報記録媒体回転用ターンテーブルを提供すること。【解決手段】情報記録媒体を回転させるためのターンテーブルであって、情報記録媒体をターンテーブルに固定するための軟質部材からなるディスク固定部がターンテーブルの表面よりも突出させてターンテーブル中に埋設されていることを特徴とする情報記録媒体回転用ターンテーブル。【選択図】図１
2006012265.tif 000002
【特許請求の範囲】
【請求項１】
情報記録媒体を回転させるためのターンテーブルであって、情報記録媒体をターンテーブルに固定するための軟質部材からなるディスク固定部がターンテーブルの表面よりも突出させてターンテーブル中に埋設されていることを特徴とする情報記録媒体回転用ターンテーブル。
【請求項２】
ディスク固定部の周囲に、ディスク固定部の高さよりも低い高さを有する支持部が配設されている請求項１記載の情報記録媒体回転用ターンテーブル。
【請求項３】
支持部の高さがディスク固定部の高さよりも０．０５〜１ｍｍ低い請求項１または２記載の情報記録媒体回転用ターンテーブル。
【請求項４】
ディスク固定部がターンテーブルに３〜５カ所配設されてなる請求項１〜３いずれか記載の情報記録媒体回転用ターンテーブル。
【請求項５】
ディスク固定部を構成している軟質部材が熱可塑性エラストマーからなる請求項１〜４いずれか記載の情報記録媒体回転用ターンテーブル。
【請求項６】
熱可塑性エラストマーがポリエステル系エラストマーである請求項５記載の情報記録媒体回転用ターンテーブル。
【請求項７】
支持部がターンテーブルと一体化されてなる請求項１〜６いずれか記載の情報記録媒体回転用ターンテーブル。
【発明の詳細な説明】
【技術分野】
【０００１】
本発明は、情報記録媒体回転用ターンテーブルに関する。さらに詳しくは、例えば、ＣＤ（コンパクトディスク）、ＬＤ（レーザーディスク）、ＭＤ（ミニディスク）、ＤＶＤ（デジタルバーサタイルディスク）などのディスクに代表される情報記録媒体から該情報記録媒体に記録された情報を読み出したり、情報記録媒体に情報を書き込んだりする際に使用されるディスクプレーヤー、ディスクレコーダー、パーソナルコンピュータなどに好適に使用しうる情報記録媒体回転用ターンテーブルに関する。
【背景技術】
【０００２】
情報記録媒体に情報を書き込んだりする際に使用されるディスクプレーヤーやディスクレコーダーなどには、ディスクなどの情報記録媒体を回転させるために、情報記録媒体回転用ターンテーブルが用いられている。情報記録媒体回転用ターンテーブルとしては、一般に、ターンテーブルの上面の周辺部に環状の軟質リングが接着などの手段によって付着され、この環状の軟質リングによって情報記録媒体を固定するものが提案されている（例えば、特許文献１〜２参照）。
【０００３】
しかしながら、これらの情報記録媒体回転用ターンテーブルは、一般に樹脂で成形されているため、成形時におけるヒケ、フレ、ソリなどの発生により、その外周が平坦で均一な平面を形成させることが困難である。このように、ターンテーブルの外周が平坦で均一な平面を有していない場合には、情報記録媒体がターンテーブルの上面の周辺部に設けられた軟質リング部分で固定されることから、ターンテーブルが回転したときに情報記録媒体に上下方向のフレが生じ、正確に情報記録媒体から情報を読みだしたり、情報記録媒体に情報を書き込んだりすることができなくなるおそれがある。
【０００４】
【特許文献１】特開平９−２８６８７６号公報
【特許文献２】特開平１０−５５０６０７号公報
【発明の開示】
【発明が解決しようとする課題】
【０００５】
本発明は、前記従来技術に鑑みてなされたものであり、ターンテーブル上に情報記録媒体を固定し、情報記録媒体を回転させた場合であっても上下方向に情報記録媒体のフレが発生するのを抑制し、正確に情報を情報記録媒体から読みだしたり、情報記録媒体に書き込んだりすることができる情報記録媒体回転用ターンテーブルを提供することを課題とする。
【課題を解決するための手段】
【０００６】
本発明は、情報記録媒体を回転させるためのターンテーブルであって、情報記録媒体をターンテーブルに固定するための軟質部材からなるディスク固定部がターンテーブルの表面よりも突出させてターンテーブル中に埋設されていることを特徴とする情報記録媒体回転用ターンテーブルに関する。
【発明の効果】
【０００７】
本発明の情報記録媒体回転用ターンテーブルは、ターンテーブル上に情報記録媒体を固定し、情報記録媒体を回転させた場合であっても上下方向に情報記録媒体のフレが発生するのを抑制し、正確に情報を情報記録媒体から読みだしたり、情報記録媒体に書き込んだりすることができるという効果を奏する。
【発明を実施するための最良の形態】
【０００８】
本発明の情報記録媒体回転用ターンテーブルは、前記したように、情報記録媒体をターンテーブルに固定するための軟質部材からなるディスク固定部がターンテーブルの表面よりも突出させてターンテーブル中に埋設されていることを特徴とする。
【０００９】
ディスク固定部を構成する軟質部材は、主として、情報記録媒体がターンテーブルの回転時に搨動しないようにターンテーブル上に固定するために用いられるものである。
【００１０】
軟質部材としては、情報記録媒体に対する固定性に優れ、またディスク固定部と配設する情報記録媒体に傷をつけるおそれが小さいことから、熱可塑性エラストマーが好ましい。
【００１１】
好適な熱可塑性エラストマーの代表例としては、ポリエステル系エラストマー、ポリオレフィン系エラストマー、ポリスチレン系エラストマー、ポリウレタン系エラストマー、ポリアミド系エラストマーなどが挙げられ、これらの中では、ターンテーブルの固定性に優れていることから、ポリエステル系エラストマーがより好ましい。
【００１２】
なお、軟質部材には、ターンテーブルの回転時に情報記録媒体がターンテーブルに強固に固定されるようにするために、粘着性付与剤が配合されていてもよい。
【００１３】
粘着性付与剤としては、例えば、脂肪族炭化水素系粘着性付与剤、芳香族炭化水素系粘着性付与剤、脂環族炭化水素系粘着性付与剤などの石油樹脂系粘着性付与剤、ロジン、ロジンエステル、テルペン樹脂、テルペンフェノールなどの天然系粘着性付与剤などが挙げられるが、本発明は、かかる例示のみに限定されるものではない。
【００１４】
軟質部材における粘着性付与剤の量は、その種類などによって異なるので一概には決定することができないが、ターンテーブルの回転時に情報記録媒体がターンテーブルに強固に固定されるようにする観点およびタックの発生を抑制する観点から、通常、軟質部材１００重量部あたり、０．３〜５０重量部、好ましくは１〜３０重量部、より好ましくは３〜１５重量部であることが望ましい。
【００１５】
また、軟質部材の硬度（ＪＩＳ  Ａ）は、ディスク固定部の形状保持性およびターンテーブルの固定性の観点から、３０〜９０°、好ましくは５０〜９０°、より好ましくは６０〜８５°であることが望ましい。
【００１６】
ターンテーブルの材質は、通常用いられているターンテーブルと同様であればよい。ターンテーブルの材質の具体例としては、例えば、ポリエステル、ポリカーボネート、ＡＢＳ樹脂、ＡＳ樹脂、アクリル樹脂などが挙げられるが、本発明は、かかる例示のみに限定されるものではない。これらのなかでは、耐久性などの観点から、ポリエステル、ポリカーボネート、ＡＢＳ樹脂などが好ましい。
【００１７】
ターンテーブル自体の大きさおよび形状は、通常のターンテーブルの規格に合致すればよく、本発明は、かかる大きさなどによって限定されるものではない。ターンテーブルの一例としては、例えば、直径が２０〜４０ｍｍ程度、厚さが０．５〜１．５ｍｍ程度の円盤状のものが挙げられる。
【００１８】
次に、本発明の情報記録媒体回転用ターンテーブルを図面に基づいてより詳細に説明するが、本発明は、かかる図面に記載されている実施態様のみに限定されるものではない。
【００１９】
図１は、本発明の情報記録媒体回転用ターンテーブルの一実施態様を示す概略斜視図である。
【００２０】
図１において、情報記録媒体をターンテーブル１上で回転させたときに、ターンテーブル１上で情報記録媒体を固定するための軟質部材からなるディスク固定部２が、ターンテーブル１の表面よりも突出してターンテーブル１中に埋設されている。
【００２１】
ディスク固定部２は、例えば、ディスク固定部２が配設されるターンテーブル１の該当箇所に、あらかじめディスク固定部２を挿入することができる孔を配設しておき、その孔内にディスク固定部２を形成する溶融させた軟質部材を充填し、成形することにより、形成させることができる。このようにしてターンテーブル１にディスク固定部２を形成させた場合には、ディスク固定部２とターンテーブル１とを融着一体化させることができる。
【００２２】
ターンテーブル１に配設される前記孔は、ターンテーブル１を成形する際に形成されるようにしておくことが、後加工を必要とせず、生産性を高めることができるので、好ましい。前記孔は、ターンテーブル１の表面から裏面までの貫通孔であってもよく、あるいはターンテーブル１の表面上で形成された凹部であってもよいが、ディスク固定部２とターンテーブル１との接着強度を高める観点から、貫通孔であることが好ましい。
【００２３】
ターンテーブル１にディスク固定部２を形成させる方法としては、例えば、２色成形法、インサート成形法などの成形法が挙げられるが、本発明は、かかる例示のみに限定されるものではない。
【００２４】
なお、ディスク固定部２に用いられる軟質部材とターンテーブル１に用いられる材質とは、ディスク固定部２とターンテーブル１との接着強度を高める観点から、同じ種類であることが好ましい。その好ましい一例として、例えば、ターンテーブル１の材質がポリエステルまたはポリカーボネートであり、ディスク固定部２に用いられる軟質部材がポリエステルエラストマーである組合せなどが挙げられる。
【００２５】
ディスク固定部２のターンテーブル１の表面からの高さは、情報記録媒体の走行時のフレを小さくするとともに、情報記録媒体の保持性を高める観点から、０．０５〜１ｍｍであることが好ましく、０．１５〜０．７ｍｍであることがより好ましく、０．３〜０．５ｍｍであることがさらに好ましい。
【００２６】
ディスク固定部２の平面形状としては、例えば、円形、円形を歪曲させた形状、楕円形、三角形、四角形、その他の多角形などが挙げられるが、本発明は、かかる例示のみに限定されるものではない。
【００２７】
ディスク固定部２の上面は、情報記録媒体との接触面に該当する。したがって、ディスク固定部２の上面は、情報記録媒体の上下方向のフレを小さくする観点から、平坦であることが好ましいが、情報記録媒体の保持性を高めるために、必要により、微細な粗面を有していてもよい。
【００２８】
ディスク固定部２の上面の面積は、ターンテーブル１に配設されるディスク固定部２の数などによって異なるが、通常、情報記録媒体の保持性を高めるとともに、ターンテーブル１の走行時における情報記録媒体のフレを小さくする観点から、３〜３０ｍｍ2 、好ましくは３〜２０ｍｍ2 、より好ましくは５〜１０ｍｍ2 であることが望ましい。
【００２９】
また、ターンテーブル１に配設された各ディスク固定部２のターンテーブル１面からの高さは、いずれも、情報記録媒体の回転時にフレが発生するのを抑制する観点から、実質的に同一であること、より具体的には、それらの高さのバラツキが±０．３ｍｍの範囲内にあることが好ましく、±０．１ｍｍの範囲内にあることがより好ましく、±０．０５ｍｍの範囲内にあることがさらに好ましい。
【００３０】
ターンテーブル１上に配設されるディスク固定部２の数は、ターンテーブル１の回転時にディスクなどの情報記録媒体をターンテーブル１上に安定して保持する観点から、３〜５カ所であることが好ましく、３カ所であることがより好ましい。
【００３１】
ターンテーブル１上に配設されるディスク固定部２の位置は、特に限定がないが、情報記録媒体をターンテーブル１に安定して保持するとともに、情報記録媒体の回転時における情報記録媒体のフレを抑制する観点から、各ディスク固定部２は、それぞれ、ほぼ均等に間隔を設けて配設されていることが好ましい。
【００３２】
また、ディスク固定部２は、情報記録媒体をターンテーブル１に安定して保持するとともに、情報記録媒体の回転時における情報記録媒体のフレを抑制する観点から、ターンテーブル１の周端部近傍に配設されていることが好ましく、またディスク固定部２が配設された箇所と、ターンテーブル１の周端部との間のターンテーブル１の機械的強度を保持させる観点から、ターンテーブル１の周端部からある程度の間隔を設けてディスク固定部２が配設されていることが好ましい。これらの観点から、ターンテーブル１の周端部からディスク固定部２までの間隔は、０．５〜２．０ｍｍであることが好ましく、０．８〜１．５ｍｍであることがより好ましく、１．０〜１．５ｍｍであることがさらに好ましい。
【００３３】
ディスク固定部２の周囲には、情報記録媒体による押圧を受けたときにディスク固定部２の変形が大きくなるのを抑制したり、ディスク固定部２の形状を保持したり、あるいはターンテーブル１とディスク固定部２とをより強固に接着させる観点から、支持部３が配設されていてもよい。支持部３は、ディスク固定部２と密着するように配設されていることが好ましい。
【００３４】
また、支持部３は、その製造のしやすさの観点から、ターンテーブル１と一体に成形されていることが好ましい。この場合、支持部３は、ターンテーブル１と同一の材料で構成されていることが好ましい。
【００３５】
ターンテーブル１の表面からの支持部３の高さは、情報記録媒体がターンテーブル１上で回転しているときに、情報記録媒体をターンテーブルで強固に固定する観点および情報記録媒体の上下方向のフレを小さくする観点から、ディスク固定部２の高さよりも０．０５〜１ｍｍ低いことが好ましく、０．１〜０．５ｍｍ低いことがより好ましく、０．１〜０．３ｍｍ低いことがさらに好ましい。
【００３６】
支持部３の形状は、ディスク固定部２の形状に対応した形状であればよい。支持部３の凸部の幅は、特に限定がないが、十分な機械的強度を有するようにするために、０．３〜１ｍｍ程度であることが好ましく、０．３〜０．７ｍｍ程度であることがより好ましく、０．３〜０．５ｍｍ程度であることがさらに好ましい。
【００３７】
各支持部３の高さは、情報記録媒体の回転時にフレの発生を抑制する観点から、実質的に同一であることが好ましく、より具体的には、各支持部３の高さのバラツキが±０．３ｍｍの範囲内にあることが好ましく、±０．１ｍｍの範囲内にあることがより好ましく、±０．０５ｍｍの範囲内にあることがさらに好ましい。
【００３８】
本発明のターンテーブル１は、そのターンテーブル１上に情報記録媒体を載置し、その上方からディスククランパーで情報記録媒体を押圧することによって、ターンテーブル１上に情報記録媒体を固定させることができる。情報記録媒体を押圧したときには、ターンテーブル１上のディスク固定部２が軽く変形することにより、その回転時にターンテーブル１上で情報記録媒体が固定される。
【００３９】
また、ディスク固定部２の周囲に支持部３が配設されている場合には、その支持部３がディスク固定部２の変形を抑制し、その形状を保持するので、ターンテーブル１上での情報記録媒体のフレがさらに抑制され、安定して情報記録媒体をターンテーブル１上で駆動させることができる。
【実施例】
【００４０】
次に、本発明を実施例に基づいてさらに詳細に説明するが、本発明はかかる実施例のみに限定されるものではない。
【００４１】
実施例１
図１に示される形状を有するターンテーブルを製造した。より詳しくは、ポリカーボネートを溶融させ、射出成形することにより、ターンテーブルの中心部から１２．５ｍｍの位置に、ディスク固定部２の中心が位置するようにディスク固定部２の形状に対応した平面形状を有する貫通孔（平面形状：直径３ｍｍの円形）を３カ所と、その各貫通孔の周囲に、凸部の幅が０．８ｍｍであり、凸部の高さが０．２ｍｍである支持部３とを均等の間隔で配設されたターンテーブル１（直径：３２ｍｍ、厚さ：１．３ｍｍ）を成形した。
【００４２】
次に、前記貫通孔に、あらかじめ溶融させておいた軟質部材（熱可塑性ポリエステルエラストマー、粘着性付与剤として炭素数５の脂肪族炭化水素系粘着性付与剤を５重量％含有）を射出して成形することにより、前記貫通孔に埋設されたディスク固定部２〔ターンテーブル面からの高さ：０．４ｍｍ、硬度（ＪＩＳ  Ａ）：８５°〕をターンテーブル１上に３カ所配設した。
【００４３】
得られた情報記録媒体回転用ターンテーブルの物性として、情報記録媒体の走行テストを以下の方法にしたがって調べた。
【００４４】
〔情報記録媒体の走行テスト〕
ターンテーブルを、市販のＣＤ−ＲＷドライブ〔ＩＯデータ（株）製、品番：ＣＤＲＷ−Ｕ４０ＢＳＴ〕に組み込まれているターンテーブルと交換した。
【００４５】
次に、情報記録媒体として動画ソフトのＣＤ−ＲＯＭをＣＤ−ＲＷドライブに装着し、ＣＤ−ＲＷドライブを稼働させた。その結果、ＣＤ−ＲＯＭから読みだされる画像には、異状がまったく認められなかった。また、ＣＤ−ＲおよびＣＤ−ＲＷに画像を記録し、その画像を再生したが、その再生画像には、異状がまったく認められなかった。
【００４６】
以上の結果から、実施例１で得られた情報記録媒体回転用ターンテーブルは、情報記録媒体の回転時に安定して情報記録媒体を固定することができ、また情報記録媒体を回転させているときの情報記録媒体のフレが小さいので、正確に情報記録媒体から情報を読みだしたり、情報記録媒体に情報を書き込んだりすることができることがわかる。
【産業上の利用可能性】
【００４７】
本発明の情報記録媒体回転用ターンテーブルは、例えば、ＣＤ（コンパクトディスク）、ＬＤ（レーザーディスク）、ＭＤ（ミニディスク）、ＤＶＤ（デジタルバーサタイルディスク）などのディスクに代表される情報記録媒体に記録された情報を読み出したり、情報記録媒体に情報を書き込んだりする際に使用されるディスクプレーヤーやディスクレコーダーなどに好適に使用することができるものである。
【図面の簡単な説明】
【００４８】
【図１】本発明の情報記録媒体回転用ターンテーブルの概略斜視図である。
【符号の説明】
【００４９】
１  情報記録媒体回転用ターンテーブル
２  ディスク固定部
３  支持部
【図１】
2006012265.tif 000003